(57)【要約】【課題】土木構造物の設計図、数量計算書作成及び照査を３次元モデルで行う事により、コスト縮減、高品質、安全な構造物を構築する事を目的としている。施工現場で、３次元データを利用する事により、地元対策、材料発注、工事進捗度の把握等に寄与する事を目的としている。３次元データから２次元データを作成する事により、データの不整合を解決する事を目的としている。【解決手段】作図基データを電子データで保存し、３次元ＣＡＤで設計図、数量計算書を作成し、３次元ＣＡＤで作成データを照査し、記憶手段で記憶させる。３次元データを利用して、２次元データを作成する。【選択図】図４
2004295168.tif 000002
【特許請求の範囲】
【請求項１】
構造物の設計図並びに数量計算書の作成及び照査する方法において、
作図基データを電子データでデータ保存実行手段に与えるステップ、
作図基データに基づいて３次元ＣＡＤを使用して、作図機能で設計図並びに数量計算書を作成するステップ、
３次元ＣＡＤの機能が、作図基データと作図データとの正・誤を判断し、その結果を表示手段が、画面表示又は音声表示するステップ、
全ての対象物の照査が完了すれば、作図基データ、作図データ、照査データをデータ記憶手段に記憶させるステップ、
から構成される構造物の設計図並びに数量計算書の作成及び照査方法。
【請求項２】
３次元データの設計図（全体図、構造一般図、配筋図）を利用して３次元ＣＡＤの機能で縦断図、横断図、平面図、任意の断面図、詳細図を作成するステップから構成される３次元データから２次元データを作成する方法。
【発明の詳細な説明】
【０００１】
【発明が属する技術分野】
本発明は、土木設計で土木構造物の設計図並びに数量計算書の作成及び照査を３次元ＣＡＤを使用して３次元モデルで行う方法に関する。
【０００２】
【従来の技術】
設計図は、作図基データに基づいて２次元ＣＡＤで作成し、数量計算書は、数量計算式を作って電卓を使用して、数量計算書を作成していた。又、照査は、紙ベースで電卓を使用して全てのデータの整合性を照査していた。
【０００３】
【発明が解決しようとする課題】
土木構造物の設計図並びに数量計算書の作成及び照査において、３次元モデルによる方法により安全性の向上、コスト縮減、高品質な製品を作ることを目的としている。
【０００４】
土木構造物の配筋図において、鉄筋同士の干渉が多く見られるのが現状で、これを３次元ＣＡＤの機能で防止し、施工できる様にすることを目的としている。
【０００５】
３次元の作図データ内で任意の断面表示、寸法表示、鉄筋の引き出しを行うことにより現状の２次元ＣＡＤ図面と同等以上の図面を作成できることを目的としている。
【０００６】
施工現場において、３次元データで地元説明会を行えば理解を得易く、早期の施工着工を目的としている。
【０００７】
施工現場において、３次元データを使用する事により、未熟な技術者の判断ミスを防止し、工事の進捗率の向上、コスト縮減を目的としている。
【０００８】
【課題を解決するための手段】
土木構造物の設計図並びに数量計算書の作成及び照査する方法において、
作図基データを電子データでデータ保存実行手段に与えるステップ、
作図基データに基づいて３次元ＣＡＤを使用して、作図機能で設計図並びに数量計算書を作成するステップ、
３次元ＣＡＤの機能が、作図基データと作図データとの正・誤を判断し、その結果を表示手段が、画面表示又は音声表示するステップ、
全ての対象物の照査が完了すれば、作図基データ、作図データ、照査データをデータ記憶手段に記憶させるステップ、
から構成される構造物の設計図並びに数量計算書の作成及び照査方法。
３次元データの設計図（全体図、構造一般図、配筋図）を利用して、３次元ＣＡＤの機能で縦断図、横断図、平面図、任意の断面図、詳細図を作成するステップから構成される３次元データから２次元データを作成する方法。
【０００９】
【発明の実施の形態】
本発明の実施の形態について、図面を参照して詳細に説明する。図１はラーメン高架橋（鉄道橋）を例にした３次元ＣＡＤによる土木構造物の設計図並びに数量計算書の作成及び照査方法のフローチャートである。
【００１０】
Ｓ１０において、設計図並びに数量計算書作成の為、作図基データを電子データで入力する。図２、図３は作図基データの一例である。
【００１１】
Ｓ１１において、３次元ＣＡＤで各部材（コンクリート）を作成し、各部材を組み合わせて一体化させる。
各部材の作り方
（１）杭の作図方法
図５に示す様に作図ゾーンで作図機能を使いφ１０００ｍｍ  、Ｌ＝９５００ｍｍの杭１を作図する。
この杭１より、線路直角方向Ｌ１＝４６００ｍｍに杭１を複写して杭２を作図する。
複写した杭２より、線路直角方向Ｌ２＝４６００ｍｍに杭２を複写して杭３を作図する。
杭１〜３  をまとめて、線路方向Ｌ３＝８１８０ｍｍに杭を複写し、杭４〜６を作図する。例えば杭１〜６をグレー系で着色する。
杭１〜６に属性として場所打ち鉄筋コンクリート杭（名称）、設計基準強度３０Ｎ／ｍｍ２（材質）を与える。作図データは、例えば１ブロック１レイヤーに納める。
（２）均しコンクリートの作図方法
図６に示す様に作図ゾーンで作図機能を使い八角形と長方形の図形を作成して合成し、厚みｔ＝１００ｍｍを与える。八角形の図形には、杭径φ１０００ｍｍの控除を行う。
杭との位置関係を考慮して作図する。例えば均しコンクリートをこげ茶系で着色する。
属性として均しコンクリート（名称）、設計基準強度１８Ｎ／ｍｍ２（材質）を与える。作図データは、例えば１ブロック２レイヤーに納める。
（３）地中梁の作図方法
図７に示す様に作図ゾーンで作図機能を使い八角形と長方形の図形を作成して合成し、厚みｔ＝１３００ｍｍを与える。
杭との位置関係を考慮して作図する。
例えば地中梁を茶色系で着色する。
属性として地中梁（名称）、設計基準強度２７Ｎ／ｍｍ２（材質）を与える。
作図データは、例えば１ブロック３レイヤーに納める。
（４）柱の作図方法
図８に示す様に作図ゾーンで作図機能を使いＢ１＝８００ｍｍ，Ｂ２＝８００ｍｍ，Ｈ１＝７１００ｍｍの柱１を作図する。
この柱１より線路直角方向Ｌ１＝４６００ｍｍに柱１を複写して柱２を作図する。
複写した柱２より、線路直角方向Ｌ２＝４６００ｍｍに柱２を複写して柱３を作図する。
柱１を線路方向Ｌ３＝８１８０ｍｍに複写し、柱天端をＬ＝３５０ｍｍ  下げて柱４を作成する。柱５、６を上記と同様の方法で作成する。例えば柱１〜６を黄色系で着色する。
柱１〜６に属性として柱（名称）、設計基準強度２７Ｎ／ｍｍ２（材質）を与える。
作図データは、例えば１ブロック４レイヤーに納める。
（５）縦梁の作図方法
図９に示す様に作図ゾーンで作図機能を使い縦梁寸法Ｂ＝７００ｍｍ、Ｈ１＝７５０ｍｍ、Ｌ１＝７３８０ｍｍ、縦梁ハンチＢ＝７００ｍｍ、Ｈ２＝４００ｍｍ、Ｌ２＝１２００ｍｍの縦梁１を作図する。
この縦梁１より線路直角方向Ｌ＝４６００ｍｍに縦梁１を複写して縦梁２を作図する。
複写した縦梁２より線路直角方向Ｌ＝４６００ｍｍに縦梁２を複写して縦梁３を作図する。
例えば縦梁１〜３をフジ色系で着色する。
縦梁１〜３に属性として縦梁（名称）、設計基準強度２７Ｎ／ｍｍ２（材質）を与える。
作図データは、例えば１ブロック５レイヤーに納める。
（６）横梁の作図方法
図１０に示す様に作図ゾーンで作図機能を使い横梁寸法Ｂ１＝８００ｍｍ、Ｈ１＝１１５０ｍｍ、Ｌ１＝１００００ｍｍの横梁１を作図する。
この横梁１より線路方向Ｌ＝８１８０ｍｍに横梁寸法Ｂ２＝８００ｍｍ、Ｈ２＝１５００ｍｍ、Ｌ２＝１００００ｍｍの横梁２を作図する。
例えば横梁１、２を緑色で着色する。
横梁１、２に属性として横梁（名称）、設計規準強度２７Ｎ／ｍｍ２（材質）を与える。
作図データは、例えば１ブロック６レイヤーに納める。
（７）桁受けの作図方法
図１１に示す様に作図ゾーンで作図機能を使い桁受け寸法Ｂ１＝７００ｍｍ、Ｈ１＝５００ｍｍ、Ｈ２＝７５０ｍｍ、Ｌ１＝１００００ｍｍの桁受け１を作図する。
この桁受け１より線路方向Ｌ＝８９８０ｍｍに桁受け寸法Ｂ２＝８００ｍｍ、Ｈ３＝６００ｍｍ、Ｈ４＝８５０ｍｍ、Ｌ２＝１００００ｍｍの桁受け２を作図する。
例えば桁受け１、２をエンジ色で着色する。
桁受け１、２に属性として桁受け（名称）、設計基準強度２７Ｎ／ｍｍ２（材質）を与える。
作図データは、例えば１ブロック７レイヤーに納める。
（８）スラブの作図方法
図１２に示す様に作図ゾーンで作図機能を使い径間スラブ、張り出しスラブ、スラブハンチの各部材を作成する。
径間スラブ寸法は、Ｂ１＝１００００ｍｍ、Ｌ１＝８９８０ｍｍ、Ｈ１＝２５０ｍｍで作図する。
張り出しスラブ寸法は、端部Ｂ２＝１８５０ｍｍ、Ｌ２＝８００ｍｍ、Ｈ２＝２５０ｍｍ、Ｈ３＝４００ｍｍ、中間部Ｂ３＝１９００ｍｍ、Ｌ３＝７３８０ｍｍ、Ｈ２＝２５０ｍｍ、Ｈ３＝４００ｍｍで作図する。
スラブハンチ寸法は、Ｂ４＝４５０ｍｍ、Ｈ４＝１５０ｍｍ、Ｌ４＝７３８０ｍｍ、Ｌ５＝３９００ｍｍで作図する。例えばスラブを青色系で着色する。
径間スラブ、張り出しスラブ、スラブハンチに属性としてスラブ（名称）、設計基準強度２７Ｎ／ｍｍ２（材質）を与える。
作図データは、例えば１ブロック８レイヤーに納める
（９）高欄・地覆の作図方法
図１３に示す様に作図ゾーンで作図機能を使い高欄・地覆１寸法
（Ｂ１＝２００ｍｍ、Ｈ１＝１４３０ｍｍ、Ｌ１＝８９８０ｍｍ）、（Ｂ２＝２５０ｍｍ、Ｈ２＝５００ｍｍ、Ｌ１＝８９８０ｍｍ）、
（Ｂ３＝１５０ｍｍ、Ｈ２＝５００ｍｍ、Ｌ１＝８９８０ｍｍ）の高欄・地覆１を作図する。
高欄・地覆２寸法（Ｂ４＝２００ｍｍ、Ｈ３＝１４３０ｍｍ、Ｌ２＝８９８０ｍｍ）、（Ｂ５＝１５０ｍｍ、Ｈ４＝５００ｍｍ、Ｌ２＝８９８０ｍｍ）、（Ｂ６＝１００ｍｍ、Ｈ４＝５００ｍｍ、Ｌ２＝８９８０ｍｍ）、（Ｂ７＝２５０ｍｍ、Ｈ４＝５００ｍｍ、Ｌ２＝８９８０ｍｍ）の高欄・地覆２を作図する。
例えば高欄・地覆１、２を茶色系で着色する。
高欄・地覆１、２に属性として高欄・地覆（名称）、設計基準強度２７Ｎ／ｍｍ２
（材質）を与える。
作図データは、例えば１ブロック９レイヤーに納める。
（１０）構造一般図の作図方法
図４に示す様に図５〜図１３に示す作図した各部材相互間の上下左右の位置関
係を正確に配置して３次元の構造一般図を完成させる。
作図データは、例えば１ブロック１０レイヤーに納める。
【００１２】
Ｓ１２において、各部材の材質、形状、寸法、位置関係を照査する。
各部材の照査方法
（１）杭の照査方法
作図ゾーンで作成した杭の作図データを例えば５ブロック１レイヤーに納める。
図１４に示す様に各杭間の距離、直径，長さを３次元ＣＡＤの「寸法表示」機能で寸法表示させ、基となる作図基データを（  ）内に入力して、作図したデータと作図基データとの正・誤を３次元ＣＡＤの機能で照査する。
例えば８１００ｍｍ（８１８０ｍｍ）の場合、作図データ８１００ｍｍが誤って入力されているので、杭４、５、６がハイライト表示又は音声表示され８１００ｍｍを８１８０ｍｍに修正をする。修正をすることによりハイライト表示は消え音声表示も消える。
図１４で材質が３０Ｎ／ｍｍ２のところ２７Ｎ／ｍｍ２で作図されているので２７Ｎ／ｍｍ２がハイライト表示又は音声表示され３０Ｎ／ｍｍ２に属性の修正をする。
全ての照査が完了すれば杭は、例えば白色で着色させ照査完了を確認する。
（２）均しコンクリートの照査方法
作図ゾーンで作成した均しコンクリートの作図データを例えば５ブロック２レイヤ―に納める。
図１５に示す様に均しコンクリートの各部材長を３次元ＣＡＤの「寸法表示」機能で寸法表示させ、基となる作図基データを（  ）内に入力して、作図したデータと作図基データとの正・誤を３次元ＣＡＤの機能で照査する。
例えば１５０ｍｍ（１００ｍ）の場合、作図データ１５０ｍｍが誤って入力されているので、均しコンクリートがハイライト表示又は音声表示され１５０ｍｍを１００ｍに修正をする。修正をすることによりハイライト表示は消え音声表示も消える。
図１５で材質が１８Ｎ／ｍｍ２のところ２１Ｎ／ｍｍ２で作図されているので２１Ｎ／ｍｍ２がハイライト表示又は音声表示され１８Ｎ／ｍｍ２に属性の修正をする。
全ての照査が完了すれば均しコンクリートは、例えば白色で着色させ照査完了を確認する。
（３）地中梁の照査方法
作図ゾーンで作成した地中梁の作図データを例えば５ブロック３レイヤーに納める。
図１６に示す様に地中梁の各部材長を３次元ＣＡＤの「寸法表示」機能で寸法表示させ、基となる作図基データを（  ）内に入力して、作図したデータと作図基データとの正・誤を３次元ＣＡＤの機能で照査する。
例えば１５００ｍｍ（１３００ｍｍ）の場合、作図データ１５００ｍｍが誤って入力されているので、地中梁がハイライト表示又は音声表示され１５００ｍｍを１３００ｍｍに修正をする。
修正をすることによりハイライト表示は消え音声表示も消える。
図１６で名称が地中梁のところ杭で作図されているので杭がハイライト表示又は音声表示され地中梁に属性の修正をする。
全ての照査が完了すれば地中梁は、例えば白色で着色させ照査完了を確認する。（４）柱の照査方法
作図ゾーンで作成した柱の作図データを例えば５ブロック４レイヤーに納める。
図１７に示す様に各柱間の距離、部材長を３次元ＣＡＤの「寸法表示」機能で寸法表示させ、基となる作図基データを（  ）内に入力して、作図したデータと作図基データとの正・誤を３次元ＣＡＤの機能で照査する。
例えば４５００ｍｍ（４６００ｍｍ）の場合、作図データ４５００ｍｍが誤って入力されているので、柱３がハイライト表示又は音声表示され４５００ｍｍを４６００ｍｍに修正をする。
修正をすることによりハイライト表示は消え音声表示も消える。
図１７で材質が２７Ｎ／ｍｍ２のところ２４Ｎ／ｍｍ２で作図されているので２４Ｎ／ｍｍ２がハイライト表示又は音声表示され２７Ｎ／ｍｍ２に属性の修正をする。
全ての照査が完了すれば柱は、例えば白色で着色させ照査完了を確認する。
（５）縦梁の照査方法
作図ゾーンで作成した縦梁の作図データを例えば５ブロック５レイヤーに納める。図１８に示す様に各縦梁間の距離、部材長を３次元ＣＡＤの「寸法表示」機能で寸法表示させ、基となる作図基データを（  ）内に入力して、作図したデータと作図基データとの正・誤を３次元ＣＡＤの機能で照査する。
例えば５０００ｍｍ（４９８０ｍｍ）の場合、作図データ５０００ｍｍが誤って入力されているので、縦梁１がハイライト表示又は音声表示され５０００ｍｍを４９８０ｍｍに修正をする。
修正をすることによりハイライト表示は消え音声表示も消える。
図１８で名称が縦梁のところ柱で作図されているので柱がハイライト表示又は音声表示され縦梁に属性の修正をする。全ての照査が完了すれば縦梁は、例えば白色で着色させ照査完了を確認する。
（６）横梁の照査方法
作図ゾーンで作成した横梁の作図データを例えば５ブロック６レイヤーに納める。図１９に示す様に各横梁間の距離、部材長を３次元ＣＡＤの「寸法表示」機能で寸法表示させ、基となる作図基データを（  ）内に入力して、作図したデータと作図基データとの正・誤を３次元ＣＡＤの機能で照査する。
例えば１４００ｍｍ（１５００ｍｍ）の場合、作図データ１４００ｍｍが誤って入力されているので、横梁２がハイライト表示又は音声表示され１４００ｍｍを１５００ｍｍに修正をする。
修正をすることによりハイライト表示は消え音声表示も消える。
図１９で材質が２７Ｎ／ｍｍ２ところ２４Ｎ／ｍｍ２で作図されているので２４Ｎ／ｍｍ２がハイライト表示又は音声表示され２７Ｎ／ｍｍ２に属性の修正をする。
全ての照査が完了すれば横梁は、例えば白色で着色させ照査完了を確認する。
（７）桁受けの照査方法
作図ゾーンで作成した桁受けの作図データを例えば５ブロック７レイヤーに納める。
図２０に示す様に各桁受け間の距離、部材長を３次元ＣＡＤの「寸法表示」機能で寸法表示させ、基となる作図基データを（  ）内に入力して作図したデータと作図基データとの正・誤を３次元ＣＡＤの機能で照査する。
例えば９０００ｍｍ（１００００ｍｍ）の場合、作図データ９０００ｍｍが誤って入力されているので、桁受け２がハイライト表示又は音声表示され９０００ｍｍを１００００ｍｍに修正をする。修正をすることによりハイライト表示は消え音声表示も消える。
図２０で名称が桁受けのところ横梁で作図されているので横梁がハイライト表示又は音声表示され桁受けに属性の修正をする。
全ての照査が完了すれば桁受けは、例えば白色で着色させ照査完了を確認する。（８）スラブの照査方法
作図ゾーンで作成したスラブの作図データを例えば５ブロックの８レイヤーに納める。
図２１に示す様にスラブの各部材長を３次元ＣＡＤの「寸法表示」機能で寸法表示させ、基となる作図基データを（  ）内に入力して作図したデータと作図基データとの正・誤を３次元ＣＡＤの機能で照査する。
例えば９９８０ｍｍ（１００００ｍｍ）の場合、作図データ９９８０ｍｍが誤って入力されているので、径間スラブがハイライト表示又は音声表示され９９８０ｍｍを１００００ｍｍに修正をする。
修正をすることによりハイライト表示は消え音声表示も消える。
図２１で材質が２７Ｎ／ｍｍ２のところ２４Ｎ／ｍｍ２で作図されているので２４Ｎ／ｍｍ２がハイライト表示又は音声表示され２７Ｎ／ｍｍ２に属性の修正をする。
全ての照査が完了すればスラブは、例えば白色で着色させ照査完了を確認する。（９）高欄・地覆の照査方法
作図ゾーンで作成した高欄・地覆の作図データを例えば５ブロック９レイヤーに納める。
図２２に示す様に高欄・地覆の各部材長を３次元ＣＡＤの「寸法表示」機能で寸法表示させ、基となる作図基データを（  ）内に入力して作図したデータと作図基データとの正・誤を３次元ＣＡＤの機能で照査する。
例えば８９００ｍｍ（８９８０ｍｍ）の場合、作図データ８９００ｍｍが誤って入力されているので、高欄・地覆２がハイライト表示又は音声表示され８９００ｍｍを８９８０ｍｍに修正をする。修正をすることによりハイライト表示は消え音声表示も消える。
図２２で材質が２７Ｎ／ｍｍ２のところ２４Ｎ／ｍｍ２で作図されているので２４Ｎ／ｍｍ２がハイライト表示又は音声表示され２７Ｎ／ｍｍ２に属性の修正をする。
全ての照査が完了すれば高欄・地覆は、例えば白色で着色させ照査完了を確認する。
（１０）構造一般図の照査方法
作図ゾーンで作成した構造一般図の作図データを例えば５ブロック１０レイヤーに納める。
図２３に示す様に隣り合う部材相互間の上下、左右の位置関係を３次元ＣＡＤの「寸法表示」機能で寸法表示させ、基となる作図基データを（  ）内に入力して作図したデータと作図基データとの正・誤を３次元ＣＡＤの機能で照査する。又、目視でも照査する。
例えば６０ｍｍ（０ｍｍ）の場合、杭中心と柱中心とが６０ｍｍズレて配置されている事となる。杭２と柱２とがハイライト表示又は音声表示され、杭２と柱２の離れ６０ｍｍを０ｍｍとなる様に移動修正をする。
修正をすることによりハイライト表示は消え音声表示も消える。
図２３で材質が２７Ｎ／ｍｍ２のところ２４Ｎ／ｍｍ２で作図されているので２４Ｎ／ｍｍ２がハイライト表示又は音声表示され２７Ｎ／ｍｍ２に属性の修正をする。
全ての照査が完了すれば構造一般図、例えば白色で着色させ照査完了を確認する。
【００１３】
Ｓ１３において、照査済みの各部材（コンクリート）を利用して各部材の配筋図を作成する。ラーメン高架橋の縦地中梁を例に作図方法を説明し、他部材については同様の手順の為割愛する。
縦地中梁配筋図の作り方
（１）図２４に示す様に例えば５ブロック１０レイヤーに納めてある図２３の構造一般図（照査済みの物）より縦地中梁配筋図用構造線を作成する。
例えば１０ブロック１レイヤーに納める。
（２）Ｆ３９−１の鉄筋Ｄ３２を３次元ＣＡＤの作図機能を使い作成し、上側８２ｍｍ、下側１００ｍｍ、側面８２ｍｍのかぶり（芯）で配置する。
Ｆ３９−１の鉄筋を図２５に示す様に１０７．２ｍｍピッチで平行に複写して６本配置する。
材質ＳＤ３９０の属性を与える。
例えば１０ブロック２レイヤーに納める。
（３）Ｆ３９−２の鉄筋Ｄ３２を３次元ＣＡＤの作図機能を使い作成し、Ｆ３９−１の鉄筋より鉛直下方向に６４ｍｍ、側面ではＦ３９−１とＦ３９−２の鉄筋同士が接するように配置する。Ｆ３９−２の鉄筋を図２６に示す様に１０７．２ｍｍｍピッチで平行に複写して６本配置する。
材質ＳＤ３９０の属性を与える。
例えば１０ブロック３レイヤーに納める。
（４）Ｆ３９−３の鉄筋Ｄ３２を３次元ＣＡＤの作図機能を使い作成し、下側１００ｍｍ、側面ではＦ３９−１とＦ３９−３の鉄筋同士が接するように配置する。
Ｆ３９−３の鉄筋を図２７に示す様に１０７．２ｍｍピッチで平行に複写して６本配置する。
材質ＳＤ３９０の属性を与える。
例えば１０ブロック４レイヤーに納める。
（５）Ｆ３９−４の鉄筋Ｄ３２を３次元ＣＡＤの作図機能を使い作成し、Ｆ３９−３の鉄筋より鉛直上方向に６４ｍｍ、側面ではＦ３９−３とＦ３９−４の鉄筋同士が接するように配置する。Ｆ３９−４の鉄筋を図２８に示す様に１０７．２ｍｍピッチで平行に複写して６本配置する。
材質ＳＤ３９０の属性を与える。
例えば１０ブロック５レイヤーに納める。
（６）Ｆ５の鉄筋Ｄ１９を３次元ＣＡＤの作図機能を使い作成し、地中梁天端より３５０ｍｍに両側面に配置する。側面ではＦ３９−１とＦ５の鉄筋同士が接する様に配置する。Ｆ５の鉄筋を図２９に示す様に２００ｍｍピッチで平行に複写して４本配置する。
材質ＳＤ３４５の属性を与える。
例えば１０ブロック６レイヤーに納める。
（７）ｆ１、ｆ２の鉄筋Ｄ１６を３次元ＣＡＤの作図機能を使い、主鉄筋Ｆ３９−１、Ｆ３９−３を取り囲む様に作成し、柱中心より左右に４００ｍｍの位置に配置し、図３０に示す様に基本ピッチ１５０ｍｍで配置して、中央で１６０ｍｍの調整を行う。
材質ＳＤ３４５の属性を与える。
例えば１０ブロック７レイヤーに納める。
【００１４】
Ｓ１４において、各部材の配筋図を照査する。
ラーメン高架橋の縦地中梁配筋図を例に照査方法を説明する。
（１）照査方法の基本的な考え方は、３次元ＣＡＤの機能が、作図基データ（設計結果、仕様書）に基づいて作図した結果と作図基データとの正・誤を判断し、確認することである。
（２）図２４に示す作図ゾーンで作成した縦地中梁の構造一般図を、例えば１５ブロック１レイヤーに納める。このデータは、照査済のデータであるので照査は省略する。
（３）作図ゾーンで作成した例えば１０ブロック２レイヤーにあるＦ３９−１の鉄筋のデータを例えば１５ブロック２レイヤーに納める。図３１に示す様に鉄筋のかぶり、ピッチを３次元ＣＡＤの「寸法表示」機能で寸法表示させ基となる作図基データを（  ）内に入力して、作図したデータと作図基データとの正・誤を３次元ＣＡＤの機能で照査する。
例えば１２０ｍｍ（１００ｍｍ）の場合作図データ１２０ｍｍが誤って入力されているのでＦ３９−１の鉄筋がハイライト表示又は音声表示され１２０ｍｍを１００ｍｍに修正をする。
修正をすることによりハイライト表示は消え音声表示も消える。
図３１で鉄筋番号が３９−１のところ３９−２で作図されているのでＦ３９−１の鉄筋及び３９−２がハイライト表示又音声表示され３９−１に属性の修正をする。
全ての照査が完了すればＦ３９−１の鉄筋は、例えば白色で着色させ照査完了を確認する。
（４）作図ゾーンで作成した例えば１０ブロック３レイヤーにあるＦ３９−２の鉄筋データを例えば１５ブロック３レイヤーに納める。
図３２に示す様にＦ３９−１の鉄筋との上下の離れ、ピッチを３次元ＣＡＤの「寸法表示」機能で寸法表示させ基となる作図基データを（  ）内に入力して、作図したデータと作図基データとの正・誤を３次元ＣＡＤの機能で照査する。
例えば７０ｍｍ（６４ｍｍ）の場合作図データ７０ｍｍが誤って入力されているのでＦ３９−２の鉄筋がハイライト表示又は音声表示され７０ｍｍを６４ｍｍに修正をする。
修正をすることによりハイライト表示は消え音声表示も消える。
図３２で鉄筋本数６本のところ５本で作図されているので、Ｆ３９−２の鉄筋及び５がハイライト表示又は音声表示され５本を６本に修正をする。
全ての照査が完了すればＦ３９−２の鉄筋は、例えば白色で着色させ照査完了を確認する。
（５）作図ゾーンで作成した例えば１０ブロック４レイヤーにあるＦ３９−３の鉄筋のデータを例えば１５ブロック４レイヤーに納める。
図３３に示す様に鉄筋のかぶり、ピッチを３次元ＣＡＤの「寸法表示」機能で寸法表示させ基となる作図基データを（  ）内に入力して、作図したデータと作図基データとの正・誤を３次元ＣＡＤの機能で照査する。
例えば９０ｍｍ（１００）ｍｍの場合作図データ９０ｍｍが誤って入力されているので、Ｆ３９−３の鉄筋がハイライト表示又は音声表示され９０ｍｍを１００ｍｍに修正をする。
修正をすることによりハイライト表示は消え音声表示も消える。
図３３で鉄筋材質がＳＤ３９０のところＳＤ３４５で作図されているので、ＳＤ３４５がハイライト表示又は音声表示されＳＤ３９０に属性の修正をする。
全ての照査が完了すればＦ３９−３の鉄筋は、例えば白色で着色させ照査完了を確認する。
（６）    作図ゾーンで作成した例えば１０ブロック５レイヤーにあるＦ３９−４の鉄筋のデータを例えば１５ブロック５レイヤーに納める。図３４に示す様にＦ３９−３の鉄筋との上下の離れ、ピッチを３次元ＣＡＤの「寸法表示」機能で寸法表示させ基となる作図基データを（  ）内に入力して、作図したデータと作図基データとの正・誤を３次元ＣＡＤの機能で照査する。例えば８０ｍｍ（６４ｍｍ）の場合作図データ８０ｍｍが誤って入力されているので、Ｆ３９−４の鉄筋がハイライト表示又は音声表示され８０ｍｍを６４ｍｍに修正をする。
修正をすることによりハイライト表示は消え音声表示も消える。
図３４で鉄筋間隔が１０７．２ｍｍのところ１００．０ｍｍで作図されているので、Ｆ３９−４の鉄筋及び１００．０ｍｍがハイライト表示又は音声表示され１００．０ｍｍを１０７．２ｍｍに修正をする。
全ての照査が完了すればＦ３９−４の鉄筋は例えば白色で着色させ照査完了を確認する。
（７）作図ゾーンで作成した例えば１０ブロック６レイヤーにあるＦ５の鉄筋を例えば１５ブロック６レイヤーに納める。図３５に示す様に地中梁の上・下面からの離れ、ピッチを３次元ＣＡＤの「寸法表示」機能で寸法表示させ基となる作図基データを（  ）内に入力して、作図したデータと作図基データとの正・誤を３次元ＣＡＤの機能で照査する。例えば３００ｍｍ（３５０ｍｍ）の場合作図データ３００ｍｍが誤って入力されているので、Ｆ５の鉄筋がハイライト表示又は音声表示され３００ｍｍを３５０ｍｍに修正をする。
修正をすることによりハイライト表示は消え音声表示も消える。
図３５で鉄筋本数が４本のところ３本で作図されているので、Ｆ５の鉄筋及び３本がハイライト表示又は音声表示され３本を４本に修正をする。
全ての照査が完了すればＦ５の鉄筋は、例えば白色で着色させ照査完了を確認する。
（８）作図ゾーンで作成した例えば１０ブロック７レイヤーにあるｆ１、ｆ２の鉄筋のデータを例えば１５ブロック７レイヤーに納める。図３６に示す様に鉄筋のピッチを３次元ＣＡＤの「寸法表示」機能で寸法表示させ、基となる作図基データを（  ）内に入力して、作図したデータと作図基データとの正・誤を３次元ＣＡＤの機能で照査する。例えば２３ｘ２００＝４６００（２３ｘ１５０＝３４５０）の場合、作図データ２００ｍｍが誤って入力されているので、ｆ１、ｆ２の鉄筋がハイライト表示又は音声表示され２００ｍｍを１５０ｍｍに修正をする。
修正を行うことによりハイライト表示は消え音声表示も消える。
スターラップは、上下の主鉄筋を取り囲む鉄筋であり主鉄筋とスターラップの位置関係を目視でも照査をする。
図３６で鉄筋間隔が２００ｍｍのところ１５０ｍｍで作図されているのでｆ１、ｆ２の鉄筋及び１５０ｍｍがハイライト表示又は音声表示され１５０ｍｍを２００ｍｍに修正をする。
全ての照査が完了すればｆ１、ｆ２の鉄筋は、例えば白色で着色させ照査完了を確認する。
【００１５】
Ｓ１５において照査済みの各部材（コンクリート）を利用してコンクリート体積、型枠面積、足場工、支保工、土工等の数量計算を３次元ＣＡＤの機能を使って行い、数量総括表にその結果の値を自動的に記入させる。
（１）構造一般図（照査済みのデータ）を利用して、各数量項目を３次元ＣＡＤの数量算出機能を使って算出する。
（２）コンクリート体積
コンクリート体積の算出は、材質（規格）毎に集計を行う。
１．材質２７−Ｎ−２５−８には地中梁、柱、梁、スラブが含まれる。
構造一般図より地中梁  図７、柱  図８、梁  図９〜１１、スラブ  図１２を呼び込み３次元ＣＡＤの体積算出機能を使いコンクリート体積を算出する。表１、図３７参照。
例えば１ブロック１レイヤーに納める。
【表１】
2004295168.tif 000003
２．材質３０−Ｎ−２５−１８には場所打ち鉄筋コンクリート杭が含まれる。
構造一般図より杭  図５を呼び込み３次元ＣＡＤの体積算出機能を使いコンクリート体積を算出する。表２、図３８参照。例えば１ブロック２レイヤーに納める。
【表２】
2004295168.tif 000004
３．材質１８−Ｎ−２５−８には均しコンクリートが含まれる。
構造一般図より均しコンクリート  図６を呼び込み３次元ＣＡＤの体積算出機能を使いコンクリート体積を算出する。表３、図３９参照。
例えば  １ブロック３レイヤーに納める。
【表３】
2004295168.tif 000005
（３）型枠面積
型枠面積の算出は一般型枠、埋め殺し型枠、均し型枠毎に集計を行う。
１．一般型枠は地中梁、柱、梁、スラブが含まれ地中梁の埋め殺し型枠を控除した分である。
構造一般図より地中梁  図７、柱  図８、梁  図９〜１１、スラブ  図１２を呼び込み３次元ＣＡＤの面積算出機能を使い型枠面積を算出する。
表４、図４０参照。
例えば１ブロック４レイヤーに納める。
【表４】
2004295168.tif 000006
２．埋め殺し型枠は地中梁のコーナー部分の型枠である。構造一般図より地中梁  図７を呼び込み３次元ＣＡＤの面積算出機能を使い型枠面積を算出する。
表５、図４１参照。
例えば１ブロック５レイヤーに納める。
【表５】
2004295168.tif 000007
３．均し型枠は構造一般図より均しコンクリート  図６を呼び込み３次元ＣＡＤの面積算出機能を使い型枠面積を算出する。表６、図４２参照。
例えば１ブロック６レイヤーに納める。
【表６】
2004295168.tif 000008
（４）足場工
構造一般図より地中梁  図７、柱  図８、梁  図９〜１１を呼び込み柱面より起・終点側に各々１１００ｍｍ、直角方向に９５０ｍｍ、上側は横梁の下端、下側は地中梁天端より１４００ｍｍの範囲で、面を各々の柱に作成し、３次元ＣＡＤの面積算出機能を使い足場工の面積を算出する。表７、図４３参照。
例えば１ブロック７レイヤーに納める。
【表７】
2004295168.tif 000009
（５）支保工
構造一般図より地中梁  図７、柱  図８、梁  図９〜１１、スラブ  図１２を呼び込み直角方向はスラブ端より１０００ｍｍ、線路方向はスラブ端、上側はスラブ天端、下側は地中梁天端より１４００ｍｍの範囲及び地中梁天端より１４００ｍｍ上方で桁受けの下側の範囲の体積からスラブ、梁、柱の体積を控除した空間を３次元ＣＡＤの体積算出機能を使い支保工の体積を算出する。表８、図４４参照。
例えば１ブロック８レイヤーに納める。
【表８】
2004295168.tif 000010
（６）土工
１．掘削
構造一般図より均しコンクリート  図６、地中梁  図７を呼び込み地中梁の面より５００ｍｍの位置から１：０．５で地中梁天端より１４００ｍｍまで切土する。均しコンクリート、地中梁を消去し掘削した土量を３次元ＣＡＤの体積算出機能を使い算出する。表９、図４５参照。
例えば１ブロック９レイヤーに納める。
【表９】
2004295168.tif 000011
２．埋め戻し
構造一般図より均しコンクリート  図６、地中梁  図７、柱  図８を呼び込み地中梁の面より５００ｍｍの位置から１：０．５で地中梁天端より１４００ｍｍまで切土する。掘削土量から均しコンクリート、地中梁、柱の体積を除いた土量を３次元ＣＡＤの体積算出機能を使い算出する。表１０、図４６参照。
例えば１ブロック１０レイヤーに納める。
【表１０】
2004295168.tif 000012
３．残土
２．埋め戻しのデータを使い均しコンクリート、地中梁、柱の体積を３次元ＣＡＤの体積算出機能を使い算出する。表１１、図４７参照。
例えば１ブロック１１レイヤーに納める。
【表１１】
2004295168.tif 000013
【００１６】
Ｓ１６において、各数量項目を照査する。
（１）コンクリート体積
作図ゾーンで作成した地中梁  図７、柱  図８、梁  図９〜１１、スラブ  図１２の作成データを例えば５ブロック１レイヤーに納める。
作図ゾーンで作成した杭  図５の作図データを例えば５ブロック２レイヤーに納める。
作図ゾーンで作成した均しコンクリート  図６の作図データを例えば５ブロック３レイヤーに納める。
コンクリート体積の照査は、照査済みの一般図のデータを使用するので照査は不要である。
（２）型枠面積
作図ゾーンで作成した一般型枠の作図データを例えば５ブロック４レイヤーに納める。
作図ゾーンで作成した埋め殺し型枠の作図データを例えば５ブロック５レイヤーに納める。
作図ゾーンで作成した均し型枠の作図データを例えば５ブロック６レイヤーに納める。
コンクリート体積と同様に、照査済みの一般図のデータを使用するので長さの照査は不要である。
スラブ上面や地中梁下面の様に型枠面積の算出が不必要な場所を加えていないかをビジュアルに照査する。
（３）足場工
作図ゾーンで作成した足場工の作図データ図４３を例えば５ブロック７レイヤーに納める。
コンクリート体積と同様に、照査済みの一般図のデータを使用するので構造物本体の長さの照査は不要である。
図４８に示す様に足場工の範囲を示す長さを３次元ＣＡＤの「寸法表示」機能で寸法表示させ、基となる作図基データを（  ）内に入力して、作図したデータと作図基データとの正・誤を３次元ＣＡＤの機能で照査する。
例えば１２００ｍｍ（１１００ｍｍ）の場合作図データ１２００ｍｍが誤って入力されているので、足場の面がハイライト表示又は音声表示され、１２００ｍｍを１１００ｍｍに修正をする。修正をすることによりハイライト表示は消え音声表示も消える。
全ての照査が完了すれば足場の面は、例えば白色で着色させ照査完了を確認する。
（４）支保工
作図ゾーンで作成した支保工の作図データ図４４を例えば５ブロック８レイヤーに納める。
コンクリート体積と同様に、照査済みの一般図のデータを使用するので構造物本体の長さの照査は不要である。図４９に示す様に支保工の範囲を示す長さを３次元ＣＡＤの「寸法表示」機能で寸法表示させ、基となる作図基データを（  ）内に入力して、作図したデータと作図基データとの正・誤を３次元ＣＡＤの機能で照査する。例えば  ８００ｍｍ（７００ｍｍ）の場合作図データ８００ｍｍが誤って入力されているので、支保工の面がハイライト表示又は音声表示され、８００ｍｍを７００ｍｍに修正をする。
修正をすることによりハイライト表示は消え音声表示も消える。
全ての照査が完了すれば支保工の面は、例えば白色で着色させ照査完了を確認する。
（５）土工
１．掘削    作図ゾーンで作成した掘削の作図データを例えば５ブロック９    レイヤーに納める。
コンクリート体積と同様に、照査済みの一般図のデータを使用するので構造物本体の長さの照査は不要である。図５０に示す様に掘削の範囲を示す長さを３次元ＣＡＤの「寸法表示」機能で寸法表示させ、基となる作図基データを（  ）内に入力して、作図したデータと作図基データとの正・誤を３次元ＣＡＤの機能で照査する。
例えば２５００ｍｍ（２８００ｍｍ）の場合作図データ２５００ｍｍが誤って入力されているので、掘削の面がハイライト表示又は音声表示され、２５００ｍｍを２８００ｍｍに修正をする。
修正をすることによりハイライト表示は消え音声表示も消える。
全ての照査が完了すれば掘削の面は、例えば白色で着色させ照査完了を確認する。
２．埋戻し    作図ゾーンで作成した埋戻しの作図データを例えば５ブロック１０レイヤーに納める。
コンクリート体積と同様に、照査済みの一般図のデータを使用するので構造物本体の長さの照査は不要である。図５１に示す様に埋戻しの範囲を示す長さを３次元ＣＡＤの「寸法表示」機能で寸法表示させ、基となる作図基データを（  ）内に入力して、作図したデータと作図基データとの正・誤を３次元ＣＡＤの機能で照査する。例えば２５００ｍｍ（２８００ｍｍ）の場合作図データ２５００ｍｍが誤って入力されているので、埋戻しの面がハイライト表示又は音声表示され、２５００ｍｍを２８００ｍｍに修正をする。
修正をすることによりハイライト表示は消え音声表示も消える。
全ての照査が完了すれば埋戻しの面は、例えば白色で着色させ照査完了を確認する。
３．残土    作図ゾーンで作成した残土の作図データを例えば５ブロック１１レイヤーに納める。
コンクリート体積と同様に、照査済みの一般図のデータを使用するので構造物本体の長さの照査は不要である。図５２に示す様に残土の範囲を示す長さを３次元ＣＡＤの「寸法表示」機能で寸法表示させ、基となる作図基データを（  ）内に入力して、作図したデータと作図基データとの正・誤を３次元ＣＡＤの機能で照査する。
例えば１３００ｍｍ（１４００ｍｍ）の場合作図データ１３００ｍｍが誤って入力されているので、残土の面がハイライト表示又は音声表示され、１３００ｍｍを１４００ｍｍに修正をする。
修正をすることによりハイライト表示は消え音声表示も消える。
全ての照査が完了すれば残土の面は、例えば白色で着色させ照査完了を確認する。
【００１７】
Ｓ１７において３次元データの設計図（全体図、構造一般図、配筋図）を利用して２次元データを作成する。
【００１８】
Ｓ１８において作図基データ、設計図（２次元、３次元データ）、数量計算書、各照査データを電子納品する。
【００１９】
【発明の効果】
本発明は、構造物の設計図並びに数量計算書を作成する為の作図基データ、作図データ、照査データを電子納品するステップから構成されており、国土交通省が推進している建設ＣＡＬＳ／ＥＣの考え方と合致する。
【００２０】
現在、２次元データによる設計図が求められている為、２次元設計図を作成することとしているが、将来的にそれが必要でなくなれば、３次元設計図のみでもよい。上述の方法は、土木構造物に限らず建築構造物等に対しても適用することができる。
【００２１】
設計図、数量計算書作成において３次元で平面図、縦断図、横断図等を同時に作成（データはただ一つ）する為、整合性のとれた設計図、数量計算書を作成できる。又、安全、経済的、高品質な設計図及び数量計算書を作成できる。
【００２２】
土木構造物は、耐震設計上太径の鉄筋が蜜に配置されていて、鉄筋の干渉が多く見られる。３次元ＣＡＤによると、鉄筋干渉が一目瞭然で、干渉防止の機能を設け鉄筋の配置変更をする事により、設計で必要とする鉄筋量を配置でき、安全で、高品質な設計図を作成でき、構造物の破壊を防止し、人命を守る事ができるのである。
【００２３】
施工現場において３次元データを使用すれば、施工済みの分と未施工の分を色分けすれば工事の進捗状況が一目瞭然であり、生コン、鉄筋等の発注が容易にでき、地元説明会においても有効な手段となる。
【００２４】
３次元ＣＡＤにより作図をすれば、平面図、縦・横断図、任意の断面が同時に作成でき、作図の手間が大きく改善される。
鉄筋重量計算を３次元ＣＡＤの重量算出機能を使えば材質毎、鉄筋径毎の重量算出が容易にでき、図面としての鉄筋表を省略できる。
【図面の簡単な説明】
【図１】３次元ＣＡＤによる土木構造物の設計図、数量計算書作成及び照査方法のフローチャートである。
【図２】ＲＣビームスラブ式ラーメン高架橋の縦断図、平面図である。
【図３】ＲＣビームスラブ式ラーメン高架橋の横断図、基礎平面図である。
【図４】３次元ＲＣビームスラブ式ラーメン高架橋の構造一般図である。
【図５】杭の立体図である。
【図６】均しコンクリートの立体図である。
【図７】地中梁の立体図である。
【図８】柱の立体図である。
【図９】縦梁の立体図である。
【図１０】横梁の立体図である。
【図１１】桁受けの立体図である。
【図１２】スラブの立体図である。
【図１３】高欄・地覆の立体図である。
【図１４】照査用の杭の立体図である。
【図１５】照査用の均しコンクリートの立体図である。
【図１６】照査用の地中梁の立体図である。
【図１７】照査用の柱の立体図である。
【図１８】照査用の縦梁の立体図である。
【図１９】照査用の横梁の立体図である。
【図２０】照査用の桁受けの立体図である。
【図２１】照査用のスラブの立体図である。
【図２２】照査用の高欄・地覆の立体図である。
【図２３】照査用の３次元ＲＣビームスラブ式ラーメン高架橋の構造一般図である。
【図２４】配筋図用の縦地中梁構造図である。
【図２５】地中梁上側一段目主鉄筋配筋図である。
【図２６】地中梁上側二段目主鉄筋配筋図ある。
【図２７】地中梁下側一段目主鉄筋配筋図である。
【図２８】地中梁下側二段目主鉄筋配筋図である。
【図２９】地中梁腹鉄筋配筋図である。
【図３０】地中梁スターラップ配筋図である。
【図３１】照査用の地中梁上側一段目主鉄筋配筋図である。
【図３２】照査用の地中梁上側二段目主鉄筋配筋図である。
【図３３】照査用の地中梁下側一段目主鉄筋配筋図である。
【図３４】照査用の地中梁下側二段目主鉄筋配筋図である。
【図３５】照査用の地中梁腹鉄筋配筋図である。
【図３６】照査用の地中梁スターラップ配筋図である。
【図３７】コンクリート体積の総合計である。
【図３８】場所打ち鉄筋コンクリート杭の体積である。
【図３９】均しコンクリートの体積である。
【図４０】一般型枠面積の合計である。
【図４１】埋め殺し型枠面積である。
【図４２】均しコンクリート型枠面積である。
【図４３】足場工面積である。
【図４４】支保工体積である。
【図４５】全掘削土量である。
【図４６】埋め戻し土量である。
【図４７】残土である。
【図４８】照査用の足場工面積である。
【図４９】照査用の支保工体積である。
【図５０】照査用の全掘削土量である。
【図５１】照査用の埋め戻し土量である。
【図５２】照査用の残土である。
【符号の説明】
１．杭
２．均しコンクリート
３．地中梁
４．柱
５．縦梁
６．横梁
７．桁受け
８．スラブ
９．高欄・地覆
【図１】
2004295168.tif 000014
【図２】
2004295168.tif 000015
【図３】
2004295168.tif 000016
【図４】
2004295168.tif 000017
【図５】
2004295168.tif 000018
【図６】
2004295168.tif 000019
【図７】
2004295168.tif 000020
【図８】
2004295168.tif 000021
【図９】
2004295168.tif 000022
【図１０】
2004295168.tif 000023
【図１１】
2004295168.tif 000024
【図１２】
2004295168.tif 000025
【図１３】
2004295168.tif 000026
【図１４】
2004295168.tif 000027
【図１５】
2004295168.tif 000028
【図１６】
2004295168.tif 000029
【図１７】
2004295168.tif 000030
【図１８】
2004295168.tif 000031
【図１９】
2004295168.tif 000032
【図２０】
2004295168.tif 000033
【図２１】
2004295168.tif 000034
【図２２】
2004295168.tif 000035
【図２３】
2004295168.tif 000036
【図２４】
2004295168.tif 000037
【図２５】
2004295168.tif 000038
【図２６】
2004295168.tif 000039
【図２７】
2004295168.tif 000040
【図２８】
2004295168.tif 000041
【図２９】
2004295168.tif 000042
【図３０】
2004295168.tif 000043
【図３１】
2004295168.tif 000044
【図３２】
2004295168.tif 000045
【図３３】
2004295168.tif 000046
【図３４】
2004295168.tif 000047
【図３５】
2004295168.tif 000048
【図３６】
2004295168.tif 000049
【図３７】
2004295168.tif 000050
【図３８】
2004295168.tif 000051
【図３９】
2004295168.tif 000052
【図４０】
2004295168.tif 000053
【図４１】
2004295168.tif 000054
【図４２】
2004295168.tif 000055
【図４３】
2004295168.tif 000056
【図４４】
2004295168.tif 000057
【図４５】
2004295168.tif 000058
【図４６】
2004295168.tif 000059
【図４７】
2004295168.tif 000060
【図４８】
2004295168.tif 000061
【図４９】
2004295168.tif 000062
【図５０】
2004295168.tif 000063
【図５１】
2004295168.tif 000064
【図５２】
2004295168.tif 000065